(57)【要約】【課題】基板の挿入部を冷蔵庫の正面視で目立たないように後方に配置しつつ、基板を所定位置に配置する。【解決手段】基板組品１４の一端側の第１の被ガイド部材１７ａと、基板組品１４の他端側の第２の被ガイド部材１７ｂと、を備え、基板収納部材２１は、挿入部１３から離れる方向に向かって扉前面板７に近づく傾斜を有し、基板組品１４の第１の被ガイド部材１７ａをガイドするガイド手段２１ｅと、ガイド手段２１ｅの傾斜よりも大きな傾斜を有し、ガイド手段２１ｅの終端近傍で第１の被ガイド部材１７ａを扉前面板７に接触又は近接させる第１のガイド部２１ｆと、ガイド手段２１ｅの始点近傍で第１のガイド部２１ｇのガイド方向と分岐してガイド手段２１ｅの傾斜よりも大きな傾斜を有し、第１の被ガイド部材１７ａが第１のガイド部２１ｆにガイドされる際に、第２の被ガイド部材１７ｂを扉前面板７に接触又は近接させる第２のガイド部２１ｇと、を備える。【選択図】図８
2015094509.tif 000002
【特許請求の範囲】
【請求項１】
貯蔵室を開閉する扉と、
該扉の前面の光透過性の扉前面板と、
前記貯蔵室側の扉内板と、
該扉内板と前記扉前面板を支持する枠と、
前記扉前面板の背面の基板収納部材と、
前記枠から前記基板収納部材に連通して基板組品を挿入する挿入部と、
前記基板組品の一端側の第１の被ガイド部材と、該基板組品の他端側の第２の被ガイド部材と、を備え、
前記基板収納部材は、
前記挿入部から離れる方向に向かって前記扉前面板に近づく傾斜を有し、前記基板組品の前記第１の被ガイド部材をガイドするガイド手段と、
前記ガイド手段の傾斜よりも大きな傾斜を有し、前記ガイド手段の終端近傍で前記第１の被ガイド部材を前記扉前面板に接触又は近接させる第１のガイド部と、
前記ガイド手段の始点近傍で前記第１のガイド部のガイド方向と分岐して前記ガイド手段の傾斜よりも大きな傾斜を有し、前記第１の被ガイド部材が前記第１のガイド部にガイドされる際に、前記第２の被ガイド部材を前記扉前面板に接触又は近接させる第２のガイド部と、
を備えたことを特徴とする冷蔵庫。
【請求項２】
前記第１のガイド部よりも前記第２のガイド部は前記傾斜が大きく且つガイド距離が長いことを特徴とする、請求項１記載の冷蔵庫。
【請求項３】
前記枠は前方の曲面と後方の平面を有し、該平面に前記挿入部を備えたことを特徴とする、請求項１又は２記載の冷蔵庫。
【請求項４】
前記第１の被ガイド部材と前記第２の被ガイド部材の中間で前記扉前面板側に突出する凸部と、前記凸部に当接する前記基板組品の突起部と、を備えたことを特徴とする、請求項１又は２記載の冷蔵庫。
【請求項５】
前記基板組品の前記挿入部側に位置する係止片と、前記基板収納部材の前記挿入部側で前記係止片が係止する段部と、を備えた特徴とする、請求項１又は２記載の冷蔵庫。
【発明の詳細な説明】
【技術分野】
【０００１】
本発明は、冷蔵庫に関する。
【背景技術】
【０００２】
本技術分野の背景技術として、例えば特開２０１１−３８７１２号広報（特許文献１）がある。
【０００３】
特許文献１の要約欄には、「冷蔵庫本体に設けられた貯蔵室と、該貯蔵室の前方開口を開閉する貯蔵室扉と、該貯蔵室扉の前面に設けられ透光性を有する扉前面板と、該扉前面板の前面に設けられた操作部と、該操作部の後方且つ前記扉前面板の後面に接触又は近接して設けられ静電容量の変化を検出する検出部と、前記操作部の操作結果を表示する表示部と、該表示部を後方から照射する照明手段と、前記検出部の検出値に基づいて前記照明手段を制御する制御部と、前記検出部及び前記照明手段を設けた基板と、前記貯蔵室扉の縁部に設けられ該貯蔵室扉内に前記基板を収納する挿入部と、を備えたことを特徴とする。」と記載されている。
【先行技術文献】
【特許文献】
【０００４】
【特許文献１】特開２０１１−３８７１２号公報
【発明の概要】
【発明が解決しようとする課題】
【０００５】
特許文献１では、隣り合う左右の扉の一方の扉であって、扉同士が向かい合った側に基板の挿入部を設けている。そのため、少なくとも左右の扉が閉塞された状態では、一方の扉の挿入部は他方の扉で隠れるため目立たない。
【０００６】
しかし、左右方向に隣り合う扉がなく単一の扉で構成する場合、基板の挿入部が冷蔵庫の正面視で視認されて、外観意匠性を低下させるおそれがある。特に、扉の枠部材が後方から前方に向けて曲面を有する構成の場合、その可能性が高くなる。
【０００７】
また、単に挿入部を後方にずらすと、基板と扉前面板の距離が長くなり、検出部が検知する範囲まで基板を扉前面板まで近づけることが困難となる。
【０００８】
そこで本発明は、基板の挿入部を冷蔵庫の正面視で目立たないようにしつつ、基板を所定位置に配置することができる冷蔵庫を提供する。
【課題を解決するための手段】
【０００９】
上記課題を解決するために、例えば特許請求の範囲に記載の構成を採用する。本願は上記課題を解決する手段を複数含んでいるが、その一例を挙げるならば、貯蔵室を開閉する扉と、該扉の前面の光透過性の扉前面板と、前記貯蔵室側の扉内板と、該扉内板と前記扉前面板を支持する枠と、前記扉前面板の背面の基板収納部材と、前記枠から前記基板収納部材に連通して基板組品を挿入する挿入部と、前記基板組品の一端側の第１の被ガイド部材と、該基板組品の他端側の第２の被ガイド部材と、を備え、前記基板収納部材は、前記挿入部から離れる方向に向かって前記扉前面板に近づく傾斜を有し、前記基板組品の前記第１の被ガイド部材をガイドするガイド手段と、前記ガイド手段の傾斜よりも大きな傾斜を有し、前記ガイド手段の終端近傍で前記第１の被ガイド部材を前記扉前面板に接触又は近接させる第１のガイド部と、前記ガイド手段の始点近傍で前記第１のガイド部のガイド方向と分岐して前記ガイド手段の傾斜よりも大きな傾斜を有し、前記第１の被ガイド部材が前記第１のガイド部にガイドされる際に、前記第２の被ガイド部材を前記扉前面板に接触又は近接させる第２のガイド部と、を備えることを特徴とする。
【発明の効果】
【００１０】
本発明によれば、基板の挿入部を冷蔵庫の正面視で目立たないようにしつつ、基板を所定位置に配置することができる冷蔵庫を提供する。
【００１１】
上記した以外の課題、構成及び効果は以下の実施形態の説明により明らかにされる。
【図面の簡単な説明】
【００１２】
【図１】本発明の実施形態に係る冷蔵庫の扉端部方向からの部分斜視図である。
【図２】図１のＰ部に示す表示部及び操作部の表示状態を表す正面図である。
【図３】本発明の実施形態に係るガラス板及び基板組品の構成を説明する図である。
【図４】本発明の実施形態に係る基板組品の分解斜視図である。
【図５】図１のＡ−Ａ断面図である。
【図６】本発明の実施形態に係る基板収納部材の斜視図である。
【図７】本発明の実施形態に係る基板収納部材に基板組品を収納した状態の斜視図である。
【図８】図１のＡ−Ａ断面図であって基板収納部材に基板組品を収納した状態の図である。
【発明を実施するための形態】
【００１３】
以下、本発明の一実施形態を図１から図８に基づいて説明する。
【００１４】
図１は、本発明の実施形態に係る冷蔵庫の扉端部方向からの部分斜視図である。図２は、図１のＰ部に示す表示部及び操作部の表示状態を表す正面図である。図３は、本発明の実施形態に係るガラス板及び基板組品の構成を説明する図である。図４は、本発明の実施形態に係る基板組品の分解斜視図である。図５は、図１のＡ−Ａ断面図である。図６は、本発明の実施形態に係る基板収納部材の斜視図である。図７は、本発明の実施形態に係る基板収納部材に基板組品を収納した状態の斜視図である。図８は、図１のＡ−Ａ断面図であって基板収納部材に基板組品を収納した状態の図である。
【００１５】
図１において冷蔵庫本体１は、冷蔵室２の前面開口を開閉する冷蔵室扉２ａを備えている。この冷蔵室扉２ａは、ヒンジ２ｂで軸支されて回動自在である。冷蔵室扉２ａの前面には、扉前面板７ａとして光透過性を有するガラス板７を備えている。
【００１６】
図５において、発泡断熱材１６は、ガラス板７から成る扉前面板７ａと扉内板８との間の空間内に充填発泡される。扉前面板７ａであるガラス板７の板厚は、本実施形態では２ｍｍから３.５ｍｍである。この板厚は、冷蔵庫組み立て時、冷蔵庫移送時、及び冷蔵庫使用時等に生じる衝撃によってガラス板７が割れたり、亀裂が生じたりしない寸法である。さらに強度を確保する場合や板厚を薄くする場合等には、ガラス板７に熱強化処理や化学強化処理等を施してもよい。なお、ガラス板７は絶縁体である。
【００１７】
次に、図１及び図２において、９は操作部である。操作部９は、使用者が外部から操作することで、冷蔵室２等の各貯蔵室の室温を設定したり、冷蔵室２等を急速に冷却したり、製氷装置の運転のオン／オフや急速製氷を設定したりする。また、冷蔵室２に設けられ、貯蔵空間を減圧或いは低酸素状態にして、貯蔵食品の鮮度維持や酸化劣化の抑制を図る貯蔵室（図示なし）の温度を調節したり、減圧或いは低酸素化の機能を切るように設定したりする。すなわち、操作部９を使用者が操作することで、冷蔵庫の諸機能の設定ができる。
【００１８】
また、１０は表示部である。表示部１０は、操作部９からの入力結果を冷蔵庫本体１の外部に表示する。これにより、使用者が操作部９で行った操作を確認したり、先に設定されている諸機能の状態を確認したりすることができる。
【００１９】
操作部９及び表示部１０は、特別なパネルを取り付けたものではなく、ガラス板７に設けられている。すなわち、冷蔵室扉２ａに設けられたガラス板７は、操作部９及び表示部１０を含めて、該冷蔵室扉２ａの外表面全体に亘って平面になるように設けられている。
【００２０】
換言すると、操作部９及び表示部１０は、ガラス板７である扉前面板７ａに直接設けられている。このため、従来の操作パネルは省略されている。
【００２１】
また、９ａは操作部９及び表示部１０を点灯させ表示させるための表示用タッチ部であり表示用タッチ部９ａを操作することで、操作部９及び表示部１０は図１の消灯状態から、図２の点灯状態に移行する。即ち、使用者が表示用タッチ部９ａ（一例として「ＭＥＮＵ」の文字表示マークや図形等）を押す、触れる、手指を近づける等の操作をすることで、常時視認可能な表示用タッチ部９ａ以外の操作部９及び表示部１０の文字や記号等が、消灯状態から点灯状態に切り替わり、ガラス板７上に表示され、操作部１０の操作が可能となる。これにより、通常時、常時視認可能な文字や図形等の表示は表示用タッチ部９ａのみとなり、操作部９及び表示部１０の非点灯時はシンプルな外観とすることができ、デザイン性を向上することができる。また、操作部９及び表示部１０を必要なときだけ点灯させるので、省エネルギー効果を得ることができる。
【００２２】
尚、表示用タッチ部９ａを操作すると、操作部９及び表示部１０の全ての文字や図形等が点灯表示される。その一定時間経過後（例えば０．１〜１．０秒程度）、表示部１０は現在設定されている諸機能の設定状態を表わす表示のみが表示され、それ以外の表示は消灯される。更に、無操作状態が一定時間経過（例えば１分〜３分）すると、操作部９及び表示部１０の文字や図形等は全て消灯し、表示用タッチ部９ａのみが視認可能となる。このように、常時認識可能な表示用タッチ部９ａを操作した後、一旦、全ての文字等を点灯表示させることで、使用者は、冷蔵庫の機能の確認及び何を設定変更できるのか等を確認できる。
【００２３】
また、ガラス板７の裏面は、有色塗料が塗布されている。これにより、発泡断熱材１６が正面側より見えないように処理されて、かつ操作部９及び表示部１０は表示用タッチ部９ａの操作によって明確に視認されるので、外観性の優れた扉を構成している。
【００２４】
次に、図２を参照しながら、操作部９及び表示部１０についてさらに詳細に説明する。
【００２５】
図２において、破線で囲まれた操作部９の文字（節電，冷凍，冷蔵，製氷，冷却モード、真空チルドの各文字）や図形等の表示は、図４で後述するフィルム（基板前面部材）２０の色を部分的に抜いて表された光透過性を有する文字（光透過性文字）であり、後述する基板上のＬＥＤ（発光ダイオード）等が発光したときのみガラス板７の前面に透過して表示され認識できる。また、表示用タッチ部９ａは、ガラス板７の裏面又は前面に直接印刷等により表わされたものである。操作部９は、当該文字部分が形成された面に対向する位置の前面（即ち、ガラス板７の前面側）のことを称する。なお、ガラス板７の裏面又は前面に表示用タッチ部９ａを設ける手段としては、印刷の他、エッチングや象嵌等が挙げられる。
【００２６】
また、図２において、実線で囲んだ部分は、上述の操作部９の操作による入力に伴い、諸機能の設定状態を示す表示部１０である。そして、この表示部１０の文字（「電動引き出し入」、「給水」、「外出，節電」、「強，中，弱」、「急速製氷，製氷，製氷停止」，「急冷蔵，急冷凍，野菜室強」，「氷温，チルド」）や図形等は、操作部９と同様にフィルム２０の色を部分的に抜いて表された透光性文字であり、後述する基板上のＬＥＤ等が発光したときのみガラス板７の前面に透過して表示され認識できる。
【００２７】
当該フィルム２０は、扉前面板７ａであるガラス板７の裏面に、密着或いは隙間がごく僅かとなるよう取り付けられている。そのため、表示用タッチ部９ａを操作した後、ガラス板７を透過して、冷蔵室扉２ａの正面から、明確にその文字表示を確認することができる。すなわち、視認性が高く、かつ平面なガラス板で外表面が構成された、外観性の優れた扉を構成している。
【００２８】
また、操作部９及び表示部１０は、図２に示す如く上下に併設して設けられている。表示部１０には、冷蔵庫本体１の持つ機能として、急冷蔵や急冷凍が動作中である旨等が表示されるよう構成されている。
【００２９】
更に、表示部１０の文字表示は、後述する基板上のＬＥＤ（発光ダイオード）等により照明されて、ガラス板７前面まで光透過して、浮き上がって見えるように構成されている。
【００３０】
次に、図１、図５において、ガラス板７は扉内板８とともに枠１２ａ、１２ｂ、１２ｃ、１２ｄで支持固定されている。枠１２ａは冷蔵室扉２ａの側面（反ヒンジ側）を覆い、枠１２ｂは冷蔵室扉の上面を覆い、枠１２ｃは冷蔵室扉２ａの側面（シンジ２ｂ側）を覆い、枠１２ｄは冷蔵室扉の下面を覆う。
【００３１】
１３ａは冷蔵室扉２ａの側面に設けられた蓋である。蓋１３ａは、冷蔵室扉２ａの反ヒンジ側の枠１２ａに設けた挿入部１３を閉塞する構成である。挿入部１３は、冷蔵室扉２ａの内部と外部を連通する開口である。挿入部１３から後述する基板組品１４がヒンジ２ｂ側方向に挿入されて基板収納部材２１内に固定される（図７，８参照）。なお、蓋１３ａは、枠１２ａと平面をなすように設けられている。これにより、使用者が冷蔵室扉２ａを開けた場合でも、蓋１２ａと枠１２ａとの境界が目立たず、意匠性を損なわない。また、蓋１３ａと枠１２ａとを同一色とすることで、さらに意匠性を損なわないことに寄与する。
【００３２】
蓋１３ａ及び挿入部１３は、図５、図８に示すように、枠１２ａの曲面部２２よりも後方の平面部に位置しており、冷蔵庫本体１の正面視で視界に入り難い位置である。この挿入部１３に連続して基板収納部材２１がガラス板７の内面に貼り付けられている。
【００３３】
次に、図４において、基板組品１４の構成を詳述する。基板組品１４は、操作部９を発光表示する操作部用発光手段（図示せず）、表示部１０を発光表示する表示部用発光手段（図示せず）、この表示部用発光手段の光の拡散を抑制して遮光する遮光手段３５、静電容量の変化を検出する検出部１１、判定部（図示せず），マイコンを含む自動制御部（図示せず）等を備えている基板１５、部分的に色を抜いて光透過性の文字や図形等が設けられたフィルム２０、基板ケース１７等より構成されている。なお、本実施形態では、操作部用発光手段と表示部用発光手段を総称して発光手段とする。
【００３４】
操作部用発光手段は、基板１５の前面に設けられた操作部用ＬＥＤ（図示せず）を有する。また、検出部１１の前面側には、操作部用ＬＥＤからの光を拡散するための透明又は半透明の操作部用導光部（第一の導光手段）３４ｂを有する。
【００３５】
表示部用発光手段は、操作部用発光手段の反対側の面、即ち、基板１５の背面に設けられた表示部用ＬＥＤ（図示せず）を有する。また、表示部用ＬＥＤからの光を基板１５の裏面側から前面側に導くための透明又は半透明の表示部用導光部（第二の導光手段）１３ｂを有する。
【００３６】
尚、操作部用導光部３４ｂ及び表示部用導光部１３ｂの材料は、樹脂やガラス等、透明又は半透明であればよい。
【００３７】
基板１５（検出部１１を含む）は、該基板１５の表側の一面がフィルム（基板前面部材）２０で覆われ、他の一面が基板ケース１７で覆われている。
【００３８】
フィルム２０は、操作部用導光部３４ｂ及び遮光手段３５の前面に密着又は近接して設けられる。また、フィルム２０は、操作部用発光手段及び表示部用発光手段からの光を裏面から前面に透過して、ガラス板７側に透過させる構成である。また、フィルム２０は、その厚さがフィルム状やシート状のように薄く、未着色部や薄い着色部で光を透過できるものであればよい。
【００３９】
検出部１１は、冷蔵室扉２ａへの組込み時には操作部９と対をなすものである。すなわち、絶縁体であるガラス板７、フィルム２０、操作部用導光部３４ｂを介して、操作部９が表側に検出部１１が裏側に重なるように配置される。
【００４０】
なお、判定部（図示せず）は、基板１５内において操作部９と検出部１１との間の静電容量の変化を検出する。静電容量に変化がある場合、当該静電容量の変化に応じて発振，振幅が変化する発振回路を含んでいる。これにより、判定部が出力するスイッチ信号，オン／オフ信号を取り出した自動制御部は、負荷を駆動させる。なお、単に操作部９の前を使用者が通ったり、冷蔵庫前面（冷蔵室扉２ａ）を使用者が掃除のために拭いたりする動作等によっては、判定部が出力するスイッチ信号，オン／オフ信号を出力しない構成としてある。
【００４１】
扉前面板７ａを構成するガラス板７は絶縁体であり、且つ透光性の板材である。そして、ガラス板７前面を操作部９とすべく、表示用タッチ部９ａを操作すると、ガラス板７の操作部９の裏面に接触又は近接して位置するフィルム２０に表された文字（又は図形記号）が、ガラス板７の前面に発光手段で照射されて、操作部９の操作内容が表示される。
【００４２】
操作部９に対向するガラス板７の裏面には、基板１５上に設けられ判定部に繋がる検出部１１が、フィルム２０及び操作部用導光部３４ｂを介してガラス板７に近接するように設けられる。操作部９に併設して設けられる表示部１０の文字や図形記号等は、発光手段で照射した際、ガラス板７の前面に透光するように、基板１５の表面を覆うフィルム２０に表わされている。
【００４３】
表示部１０の文字（又は図形記号）の表示は、基板１５上に設けられた表示部用発光手段により、裏面から照らされて明示される。更に、操作部９に手や指が触れると、基板１５上の検出部１１が、ガラス板６ａとの間の静電容量の変化を感知して、基板１５上の判定部に知らせる。そして、判定部が入力を検出すると、自動制御部を介して負荷を動作させる。
【００４４】
ここで、自動制御部を介して動作される負荷とは、急冷の場合、冷凍サイクルの強制連続運転，冷気循環ファン（図示なし）の強制連続運転、若しくは冷気供給量を制御するダンパーの強制「開」制御等である。これらの負荷を制御することにより、冷蔵室２を急冷蔵としたり、冷凍室を急冷凍したりする。
【００４５】
次に、図５において、２１は基板収納部材である。基板収納部材２１は、基板組品１４を発泡断熱材１６より隔離する役目を果たす。また、基板１５表面のフィルム２０を、扉前面板７ａであるガラス板７に密接若しくは近接するように、基板組品１４を基板収納部材２１内に保持する役目を果たす。
【００４６】
図３には、ガラス板７裏面に施された透光性を有する有色塗料層１９を示す。有色塗料層１９はガラス板７の裏面全域に設けられている。
【００４７】
１９ａは保護フィルムである。保護フィルム１９ａは、ガラス板７に大きな衝撃が加えられてガラスが割れた場合や亀裂が入った場合であっても、周囲に飛び散らないよう保護している。また、この保護フィルム１９ａは、有色塗料層１９と同じ面に貼られている。このことにより、扉正面側より発泡断熱材７が透けることで、外観を損なうことを防止している。
【００４８】
また、基板組品１４の短手方向と、ガラス板７の短手方向は、交差するように配設されている。これは、ガラス板７に熱処理を加えた場合、ガラス板７の歪は長手方向に現れやすい性質に基づく。すなわち、この性質に鑑みて、基板組品１４を設置した場合における、ガラス板７の歪の影響を抑制する構成としている。
【００４９】
ここで、ガラス板７の長手方向に、基板組品１４の長手方向が沿うように組み込んだ場合、ガラス板７の歪の影響を受け、ガラス板７と基板１５上の検出部１１との間に隙間が生じやすくなる。これにより、操作部９からの入力内容が、検出部１１にうまく伝わらない、という課題を生じる。
【００５０】
そこで、本実施形態では、基板組品１４の長手方向はガラス板の長手方向に交差する方向に配設している。
【００５１】
また、有色塗料層１９の裏面（発泡断熱材１６側）には不透明塗料層１９ｂが施され、扉正面側から発泡断熱材１６が透けて見えることを防止すると共に、有色塗料層１９の色斑を抑えて色の見え方を安定させている。この不透明塗料層１９ｂと有色塗料層１９とは同系色であり、且つ、有色塗料層１９と同等若しくは濃い色合いとし不透明としている。
【００５２】
不透明塗料層１９ｂは、フィルム２０に表された操作部９及び表示部１０の文字や図形等の投影面には設けられていない。詳細には、有色塗料層１９の裏面に設けられた不透明塗料層１９ａは、操作部９及び表示部１０に対応する領域には塗布せず、代わりに、操作部９及び表示部１０に対応する領域には透明のクリア層１９ｃが施される。このとき、クリア層１９ｃの端部は、不透明塗料層１９ａの端部と重なって設けられる。
【００５３】
更に、不透明塗料層１９ｂの裏面に、操作部９及び表示部１０に対応する領域を避けて保護フィルム１９ａが設けられる。このとき、保護フィルム１９ａの端部は、クリア層１９ｃの端部と重なって設けられる。
【００５４】
即ち、ガラス板７において、操作部９及び表示部１０が表示される領域は、有色塗料層１９、クリア層１９ｃ、保護フィルム１９ａの順番に層が構成される。また、操作部９及び表示部１０が表示されない領域は、有色塗料層１９、不透明塗料層１９ｂ、保護フィルム１９ａの順番に層が構成される。
【００５５】
そして、基板１５の前面を覆うフィルム２０に表された操作部９及び表示部１０の文字や図形等は、クリア層１９ｃの裏面側に密着又は近接して位置する。換言すると、不透明塗料層１９ｂは、フィルム２０に表された操作部９及び表示部１０の前方投影位置より外側に位置し、操作部９及び表示部１０の前方投影位置には有色塗料層１９と、有色塗料層１９の背面のクリア層１９ｃとを有する。この構成により、フィルム２０及び基板１５をガラス板７背面に組み込む際に、ガラス板７の傷付を防止することができる。
【００５６】
この構成により、操作部用発光手段及び表示部用発光手段を発光させていない状態では、操作部９及び表示部１０の文字や図形等は表示されず、ガラス板７の前面には有色塗料層１９の色が表れる。操作部９及び表示部１０の文字や図形等や発泡断熱材１６が透けて見えることを防ぐことができ、操作部９及び表示部１０の非表示時の外観意匠性を向上した。
【００５７】
また、不透明塗料層１９ｂの色とフィルム２０の前面に施された色とを同系色とした。有色塗料層１９の裏面に塗布された不透明塗料層１９ｂは、操作部９及び表示部１０を発光表示させるため、部分的に塗布されず、例えば矩形状の窓部を形成するように設けられている。このとき、不透明塗料層１９ｂの色とフィルム２０の前面の色とを異なる色又は極端に濃淡の異なる色とした場合、互いの色調が異なることから不透明塗料層１９ｂとフィルム２０との境界が扉前面側から透けて見える虞がある。
【００５８】
そこで、不透明塗料層１９ｂの色とフィルム２０の前面の色とを同系色として互いの色調を統一することで境界を目立たなくし、外観意匠性を向上した。
【００５９】
尚、本実施形態においては、ガラス板７の裏面に施した有色塗料層１９、不透明塗料層１９ｂ、クリア層１９ｃは塗料としたが、着色したフィルムやシート等でもよい。
【００６０】
また、冷蔵庫の扉表面を１枚のガラス板７とすることにより、製造原価を低減することができる。なお、ガラス板７と検出部１１の前方に配された操作部用導光部３４ｂとの隙間は、ガラス板７の歪を含め０.２ｍｍ以下とする必要がある。０.２ｍｍ以上の隙間が生じた場合、操作部９からの入力内容が、検出部１１にうまく伝わらないことがある。
【００６１】
また、基板組品１４は、冷蔵庫本体１の最上部に設けられた冷蔵室扉２ａに設けられている。この高さ位置は、小さな子供の手が届かない位置である。また、使用者にとって見やすく操作し易い位置となる。
【００６２】
さらに、本実施形態の場合、操作部９及び表示部１０が従来の如く扉前面板７ａより突出していない。これにより、小さな子供は操作部９及び表示部１０がそこにあること自体を認識し難い。すなわち、子供による悪戯操作を低減できる。
【００６３】
図４において、基板組品１４は、基板ケース１７、表示部用導光部（第二の導光手段）１３ｂ、基板１５、フィルム２０、操作部用発光手段３４、遮光手段３５等が組み合わされたものである。操作部用発光手段３４及び遮光手段３５は基板１５の同一面、即ち、基板１５の前面側に併設している。
【００６４】
表示部１０の背面側には、当該表示部１０の文字や図形等を後ろから照明するための表示部用発光手段（図示せず）が設けられている。基板１５は、複数の孔部１５ｂが形状され、当該複数の孔部１５ｂのそれぞれから、表示部用導光部（第二の導光手段）１３ｂが基板１５の前面側に突出するように設けられている。
【００６５】
また、表示部用導光部１３ｂは複数設けられ、表示部１０の文字や図形等のそれぞれに対応し且つ前後に重なって位置するように設けられる。尚、複数の表示部用導光部１３ｂは、透光性を有する樹脂を一体成型したものであり、基板１５の裏面側では表示用導光部１３ｂのそれぞれは繋がって成型されている。
【００６６】
基板１５に設けられた表示部用導光部１３ｂによって導かれた光の拡散を抑えるため、基板１５とフィルム２０との間には、暗い色調（一例として黒色系）の樹脂からなる遮光手段３５が配置される。この遮光手段３５は板状樹脂材であって、複数の表示部用導光部１３ｂの周囲を全周に亘ってそれぞれ囲むように、複数の孔部３５ａが形成される。換言すると、基板１５の前面側に位置した表示部用導光部１３ｂの周囲は、孔部３５ａを形成する複数の枠部によりそれぞれ囲われることで、複数の表示部用導光部１３ｂはそれぞれが独立した導光部となる。更に、表示部用導光部１３ｂの側面の全周を遮光手段３５で囲むことで、表示部用導光部１３ｂの外部に光が漏れ難くし、表示部用導光部１３ｂ内部で光の反射及び拡散を行い、発光表示される文字の照度斑を抑え、均一に表示することができる。また、他方の表示部用導光部１３ｂや隣接する他の表示文字への光の漏れを抑制し、表示時の外観意匠性及び表示内容の誤表示を防ぐことができる。
【００６７】
また、遮光手段３５を暗い色調（一例として黒色系）にしたことで、表示部用ＬＥＤからの光を表示部用導光部１３ｂ内部で反射及び拡散させることができ、表示する文字や図形等の照度斑を抑えて明確に表示することができる。
【００６８】
以上の構成の如く、基板１５の同一面に、表示部用発光手段１３、検出部１４、操作部用発光手段、遮光手段３５を配置することで、基板の薄型化を図ることができる。
【００６９】
基板組品１２において、遮光手段３５及び表示部用導光部１３ｂの前方への突出高さ位置は、同一若しくは遮光手段３５の方が高くなるように位置している。これにより、表示部用導光部１３ｂからの光を遮光手段３５によって遮ることができ、隣接する他の表示部用導光部１３ｂに光が漏れることを抑制できる。また、フィルム２０は表示部用導光部１３ｂと密接又は近接して設けられており、フィルム２０によって遮光手段３５の孔部３５ｂを塞ぐような形態になるので、表示部用導光部１３ｂからの光の漏れを抑制することができる。
【００７０】
これにより、隣り合う複数の文字の内、いずれかの文字のみを明確に表示でき、表示部及び操作部の表示時の外観意匠性を向上するとともに、使用者が冷蔵庫の設定状態を明確に視認することで、誤操作することを防ぐ。
【００７１】
また、本実施形態においては、表示部用ＬＥＤは青色、緑色、オレンジ色等の発光色であるのに対し、操作部用ＬＥＤは白色の発光色である。表示部用導光部１３ｂおよび操作部用導光部３４ｂは基板１５の前面に併設して設けられている。この場合、表示部用ＬＥＤと操作部用ＬＥＤとが同時に発光すると、互いの光が干渉し合って文字又は図形の光透過や見え方に影響がでる虞がある。
【００７２】
そこで、遮光手段３５及び操作部用導光部３４ｂの前面の高さ位置は、同一若しくは遮光手段３５の方が高くなるように配置した。これにより、互いの光を遮ることができ、光の色彩の異なる表示部１０及び操作部９の文字をそれぞれ明確に表示することができる。
【００７３】
また、遮光手段３５の前方側の位置と、基板ケース１７の前面外周縁部の位置は、同一もしくは遮光手段３５の方が前方側に高くなるように配置している。これにより、基板ケース１７の外縁部（フランジ部）にフィルム２０を貼り付けた際、フィルム２０の裏面と遮光手段３５の前面とを近接又は密着することができる。即ち、前述したとおり、遮光手段３５と表示用導光部１３ｂとの高さは、同一もしくは遮光手段３５の方が高く配置されているので、基板ケース１７にフィルム２０を貼り付けたときに、遮光手段３５の孔部３５ａをフィルム２０で塞ぐような形態にできる。
【００７４】
これにより、個々の表示部用導光部１３ｂ内で光を効率よく拡散させ、発光表示させる文字の照度斑を抑え明確に表示することができる。また、一方の表示部用導光部１３ｂから他方の表示部用導光部１３ｂへの光の漏れを抑制することで、意図しない文字の光透過表示を防ぎ、表示部１０の発光表示時の外観意匠性を向上するとともに、表示部１０を明確に視認可能として、操作部９の誤操作を防ぐ。
【００７５】
図４に示すように、操作部９の背面には、静電容量の変化を検出する検出部１１が位置する。この検出部１１は基板１５表面に複数設けられており、その近傍には操作部用ＬＥＤ（図示せず）が設けられている。基板１５の検出部１１と操作部用ＬＥＤが設けられた領域には、高反射性色調（一例として白色系）で塗装されている。これにより、操作部用ＬＥＤの光を反射させ、操作部用導光部３４ｂで一様に光を拡散させることができる。尚、当該白色領域はレジスト印刷、シルク印刷等、特に限定するものではない。
【００７６】
検出部１４の前面側、即ち、前述の白色で塗装された領域を覆うように、透明又は半透明の操作部用導光部３４ｂが配置される。操作部用ＬＥＤから照射された光が操作部用導光部３４ｂを介することで、フィルム２０に有する透光性の文字や図形等がガラス板７上に透過し表示される。
【００７７】
基板１５は、検出部１１，判定部（図示せず）及びマイコンを含む自動制御部（図示せず）等を備えている。
【００７８】
基板１５は、一面がフィルム２０で覆われ、他面が基板ケース１７で覆われている。フィルム２０は、検出部１１に密着している。基板ケース１７の凹部に、基板１５が収納された状態で、基板１５の前面は、基板ケース（基板収納部材）１７外周縁に設けたフランジ部と同一平面となるよう収納される。そして、粘着剤付きフィルム２０が、基板１５の表面及び基板ケース１７のフランジ部に密着固定される。従って、基板１５上の検出部１１とフィルム２０間には空間部が存在しないか或いは近接するように構成している。
【００７９】
検出部１１は、冷蔵室扉２ａへの組み込み時には、ガラス板７側の操作部９と対をなすものである。すなわち、絶縁体であるガラス板７及びフィルム２０の前側に操作部９が設けられ、検出部１１が裏側（フィルム２０を介して基板１５側）になるよう図４の如く重なるように設けられている。
【００８０】
基板ケース１７は低反射色調である灰色系の色調（樹脂成形による色、塗装、又はフィルム転写等）で形成されている。基板ケース１７の色が白色等の光を反射させ易い色の場合、表示部用ＬＥＤを発光させたとき、表示部用ＬＥＤの背面側の基板ケース１７によって光が反射及び拡散し、光の漏れが生じる虞がある。そこで、基板ケース１７の色を光が反射し難い灰色系の色とすることで、表示部１０に記された複数の表示文字の内、特定の文字のみを表示させたとき、隣接した文字側に光が漏れて、表示する必要のない文字を表示されてしまうことを抑制する。
【００８１】
尚、基板ケース１７の色は灰色に限ったものではなく、光を反射し難い色や表面処理を行ったものであればよい。また、基板ケース１７の表示部用導光部１３ｂに対向する箇所に塗装を施してもよい。
【００８２】
ガラス板７と扉内板８によって形成された空間内には発泡断熱材１６が充填されている。そのため、基板収納部材２１の発泡断熱材１６に面する側には発泡断熱材１６の発泡圧に耐え得るように補強リブ２１ｉが複数設けられている（図８参照）。
【００８３】
基板収納部材２１の両側壁には基板組品１４を基板収納部材２１に案内するガイド手段２１ｅが設けられている。ガイド手段２１ｅは、一例として溝形状、段形状、凹凸形状を採用することができる。
【００８４】
挿入部１３から挿入された基板組品１４（図示せず）は後述する基板ケース１７に設けられた第一の被ガイド部材１７ａ、第二の被ガイド部材１７ｂが、それぞれガイド手段２１ｅでガイドされて枠１２ａ側（反ヒンジ側）から枠１２ｂ側（ヒンジ側）方向に移動する。移動した基板組品１４は所定の位置で固定される。
【００８５】
図６において、基板収納部材２１の開口外周には平面部２１ａが設けられている。この基板収納部材２１の一端には基板組品１４が挿入される開口部２１ｂが設けられ、平面部２１ａには位置決め部２１ｃが設けられている。この位置決め部２１ｃは、基板収納部材２１を枠１２ａに対して直交又はほぼ直交するように取り付けるための位置決め部材となる。開口部２１ｂの上部には段部２１ｄが設けられている。
【００８６】
基板収納部材２１は平面部２１ａを冷蔵室扉２ａの前面に取り付けられたガラス板７の内面に密着させて所定位置にあらかじめ（発泡断熱材１６の充填前）貼り付けられることになる。貼り付けにあたっては平面部２１ａの背後からガラス板７の内面に直接テープ止めされる。
【００８７】
基板収納部材２１の内側両側壁には基板組品１４を基板収納部材２１内で移動させるため、開口部２１ｂ近傍から離れる方向にガイド手段２１ｅが設けられている。このガイド手段２１ｅの終端部には第１のガイド部２１ｆが、挿入部１３近傍側の端部には第１のガイド部２１ｆへ繋がる方向とは分岐した第２のガイド部２１ｇが設けられている。この第１のガイド部２１ｆと第２のガイド部２１ｇは、平面部２１ａから離れる方向、すなわち、挿入部１３から離れる方向に向かって扉前面板７ａに近づく傾斜を有する溝形状、段形状、凹凸形状の何れか又はこれらを組合せた構成である。
【００８８】
枠１２ａの手前側の角部２２は、図８のように丸みを有している。この角部２２よりも冷蔵室扉２ａの奥行き方向の後方側に挿入部１３及び開口部２１ｂが位置している。基板収納部材２１の背面壁とガイド手段２１ｅは、図８に示すように、開口部２１ｂから離れる方向に向かって、扉前面板７ａに近づく緩やかな傾斜を有している。また、ガイド手段２１ｅの入口端部に設けられた第二の段差部２１ｇのガラス板７に対する傾斜角度は、ガイド手段２１ｅの傾斜角度よりも大きい。また、ガイド手段２１ｅの終端部に設けられた第一の段差部２１ｆのガラス板７に対する傾斜角度も、ガイド手段２１ｅの傾斜角度よりも大きい。
【００８９】
この構成において、ガイド手段２１ｅに沿って導かれる基板組品１４は、図８の破線で示すように、第一の被ガイド部材１７ａがガイド手段２１ｅの終端部に有する第一のガイド部２１ｆの入口付近に到達すると、第二の被ガイド部材も第二のガイド部２１ｇの入口付近に位置する。
【００９０】
その後、更に基板組品１４を挿入部１３から深く挿入すると、第二の被ガイド部材２１ｇは第二のガイド部１７ｂに沿って導かれ、第二のガイド部１７ｂの終端部（即ち、扉前面板７ａ側）に案内されるとともに、第一の被ガイド部材１７ａは第一のガイド部２１ｆに沿って導かれ、第一のガイド部１７ａの終端部（即ち、扉前面板７ａ側）に案内される。この構成により、基板組品１４を挿入する過程において、基板組品１４の前面を扉前面板７ａの裏面に密着或いは近接させることができる。
【００９１】
また、第１のガイド部２１ｆよりも第２のガイド部２１ｇは、ガラス板７との間の傾斜角度が大きく且つガイド距離を長くしている。このことにより、基板組品１４をガラス板７に接触しないようにガイドした後に、所定の位置で検出部１１が検知可能な範囲でガラス板７に接触又は近接させることができる。これは、挿入部１３を枠１２ａの前方の曲面より後方の平面に設けたことで、ガイド手段２１ｅ及び基板収納部材２１の背面は、ガラス板７からの距離に変化を持たせていることによる。すなわち、挿入部１３をガラス板７から所定距離の後方に設けており、ガイド手段２１ｅ及び基板収納部材２１は、基板組品４をガラス板７に近づけるために傾斜を有しているためである。
【００９２】
図６に示すように、第１のガイド部２１ｆと第２のガイド部２１ｇとの中間部には、ガイド手段２１ｅの外側から平面部２１ａ方向、すなわち扉前面板７ａ方向に突出する凸部２１ｈが設けられている。また、基板ケース１７の長手方向の中間部には、突起部１７ｃが設けられている。この構成で基板組品１４を基板収納部材２１に挿入した場合、基板収納部材２１側の凸部２１ｈと基板ケース１７側の突起部１７ｃとが当接する。これにより、横長の基板ケース１７の湾曲を矯正するように作用し、基板組品１４の前面を扉前面板７ａの裏面に密着或いは近接するように設けることができる。また、複数の補強リブ２１ｉによって、発泡圧による基板収納部材２１の変形を抑制することができる。また、補強リブ２１ｉは、当該補強リブ２１ｉに沿って発泡断熱材１６が流動するように導くので、充填発泡を阻害しないように作用する。さらに、補強リブ２１ｉを取り囲むように発泡断熱材１６が均等に充填されて硬化するため、基板収納部材２１の固定を確実にすることができる。
【００９３】
以上より、発泡断熱材１６の充填発泡によって、基板収納部材２１が変形したりずれたりすることを抑制することができるため、基板収納部材２１内に基板組品１４を組み込む場合、ガイド手段２１ｅ、第１のガイド部２１ｆ、及び第２のガイド部２１ｇと、第一の被ガイド部材１７ａ及び第二の被ガイド部材２１ｇとの位置ずれを抑制することができる。すなわち、確実に基板１５上の検出部１１がガラス板７に密着或いは近接するように設けることができる。
【００９４】
図４に示したように、基板ケース１７には、長手方向の一端側に２片の第１の被ガイド部材１７ａと、他端側に２片の第２の被ガイド部材１７を備え、基板収納部材２１に備えたガイド手段２１ｅ、第１のガイド部２１ｆ、及び第２のガイド部２１ｇとの関係で、基板組品１４をガラス板７に密着又は近接させる構造である。
【００９５】
第一の被ガイド部材１７ａ及び第二の被ガイド部材２１ｇ、並びに突起部１７ｃは、基板ケース１７の外縁に突出しており、フィルム２０の幅方向よりも突出した状態となっている。
【００９６】
第１の被ガイド部材１７ａは、基板組品１４を開口部２１ｂから挿入すると、ガイド手段２１ｅにより案内されて、ガイド手段２１ｅの終端部に位置する第１のガイド部２１ｆに至る。第２の被ガイド部材１７ｂは、第１の被ガイド部材１７ａがガイド手段２１ｅの終端部に位置する第１のガイド部２１ｆの入口に至ると、第２のガイド部２１ｇの入口に位置し、第２のガイド部２１ｇの奥側、すなわちガラス板７側に接触又は近接させるように案内する。このとき、第１の被ガイド部材１７ａも第１のガイド部２１ｆの奥側、すなわちガラス板７側に接触又は近接させるように案内する。
【００９７】
また、係止片１７ｄは基板ケース１７と一体に、組み立て時に挿入部１３側に位置するように形成されている。この係止片１７ｄは、基板ケース１７が基板収納部材２１内の所定位置に組み込まれると、最終的に基板収納部材２１の挿入部１３側の段部２１ｄに係止されて固定される。
【００９８】
係止片１７ｄの一部は、図８に示すように、開口部２１ｂ近傍の投影方向に位置する。すなわち、サービスマンが蓋１３を取り外した際に、開口部２１ｂに指を入れて係止片１７ｄを引っ張ることで基板組品１４を取り出すことができ、工具を用いることなく作業性が向上する。
【００９９】
次に基板組品１４を基板収納部材２１内に収納する手段を、図５、図８に基づきさらに説明する。
【０１００】
まず、ガラス板７内面に基板収納部材２１を予め取り付け、その後にガラス板７と扉内板８との間に発泡断熱材１６が充填発泡される。充填発泡完了後、枠１２ａの挿入部１３を介して基板収納部材２１の開口部２１ｂから基板組品１４を基板収納部材２１内に挿入する。
【０１０１】
基板組品１４が基板収納部材２１内に挿入されて押し込まれると、第１の被ガイド部材１７ａがガイド手段２１ｅ内を摺動して案内される。第１のガイド部２１ｆの入口付近に第１の被ガイド部材１７ａが達すると、第２の被ガイド部材１７ｂが第２の段差部２１ｇの入口付近に達する。ガラス板７の内面に近づくように傾斜する第１のガイド部２１ｆ及び第２のガイド部２１ｇの入口付近に、第１の被ガイド部材１７ａ及び第２の被ガイド部材１７ｂがそれぞれ位置した状態で、基板組品１４がさらに押し込まれると、第１の被ガイド部材１７ａ及び第２の被ガイド部材１７ｂは図８に示す矢印のとおり、第１のガイド部２１ｆ及び第２のガイド部２１ｇの終端部に案内され、フィルム２０がガラス板７の内面側に密着或いは近接して停止する。この時点で、基板ケース１７の係止片１７ｄは基板収納部材２１の段部２１ｄに位置して係止状態となって固定される。
【０１０２】
基板組品１４の基板収納部材２１への挿入完了後は、枠１２ａの挿入部１３が蓋１３ａにて閉塞される。
【０１０３】
このように本実施形態によれば、基板組品１４を基板収納部材２１内に挿入する際、保護フィルムが貼り付けられていないガラス板７の内面を基板組品１４が擦らないように所定位置まで案内した後、ガラス板に密着又は近接させることができるので、ガラス板７裏面の印刷層の剥がれや傷付き等を防止することができる。
【０１０４】
また、枠１２ａに設けた挿入部１３の位置を、前方の曲面より後方の平面に設けたので、冷蔵庫本体１を正面から見た状態で挿入部１３が目立たず、意匠性が向上する。
【０１０５】
図５に示す冷蔵室扉２ａはヒンジ２ｂが正面視して右側に設けられた右開き扉であるが、挿入部１３の位置、基板組品１４、基板収納部材２１等をそのまま共用して左開き扉とした場合、冷蔵室扉２の開閉時に、据え付け寸法によっては樹脂枠板１２ａ及び蓋１３ａに住居壁面が接触してしまう虞がある。
そこで、据え付け寸法を小さくするために枠１２ａの角部２２の丸み部を大きくした場合であっても、本発明の如く、挿入部１３を、樹脂枠板１２ａの角部２２の丸み部を避けるように、枠１２ａ側面の奥行き方向の後方側の平面部分に設けることで、冷蔵庫を正面視したときに挿入部１３を見え難くできる。
【０１０６】
また、扉前面板７ａと扉内板７との間の空間に充填された発泡断熱材の厚みの減少を抑えて、基板を所定位置に配置することができる。
【０１０７】
以上によれば、以下の効果を奏することができる。すなわち、貯蔵室を開閉する扉と、該扉の前面の光透過性の扉前面板と、前記貯蔵室側の扉内板と、該扉内板と前記扉前面板を支持する枠と、前記扉前面板の背面の基板収納部材と、前記枠から前記基板収納部材に連通して基板組品を挿入する挿入部と、前記基板組品の一端側の第１の被ガイド部材と、該基板組品の他端側の第２の被ガイド部材と、を備え、前記基板収納部材は、前記挿入部から離れる方向に向かって前記扉前面板に近づく傾斜を有し、前記基板組品の前記第１の被ガイド部材をガイドするガイド手段と、前記ガイド手段の傾斜よりも大きな傾斜を有し、前記ガイド手段の終端近傍で前記第１の被ガイド部材を前記扉前面板に接触又は近接させる第１のガイド部と、前記ガイド手段の始点近傍で前記第１のガイド部のガイド方向と分岐して前記ガイド手段の傾斜よりも大きな傾斜を有し、前記第１の被ガイド部材が前記第１のガイド部にガイドされる際に、前記第２の被ガイド部材を前記扉前面板に接触又は近接させる第２のガイド部と、を備える。これにより、基板の挿入部を冷蔵庫の正面視で目立たないように後方に配置しつつ、基板を所定位置に配置することができる。
【０１０８】
また、前記第１のガイド部よりも前記第２のガイド部は前記傾斜が大きく且つガイド距離が長い。これにより、基板組品を扉前面板に接触しないようにガイドした後に、所定の位置で検出部が検知可能な範囲で扉前面板に接触又は近接させることができる。
【０１０９】
また、前記枠は前方の曲面と後方の平面を有し、該平面に前記挿入部を備える。これにより、冷蔵庫の正面視で挿入部が視認しにくく、かつ曲面形状によって意匠性を高めることができる。
【０１１０】
また、前記第１の被ガイド部材と前記第２の被ガイド部材の中間で前記扉前面板側に突出する凸部と、前記凸部に当接する前記基板組品の突起部と、を備える。これにより、横長の基板組品の湾曲を矯正するように作用し、基板組品の前面を扉前面板の裏面に密着或いは近接するように設けることができる。
【０１１１】
また、前記基板組品の前記挿入部側に位置する係止片と、前記基板収納部材の前記挿入部側で前記係止片が係止する段部と、を備える。これにより、工具を用いることなく指で係止片を引っ張ることで基板組品を取り出すことができ、作業性が向上する。
【０１１２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能である。また、各実施例の構成の一部について、他の構成の追加・削除・置換をすることが可能である。
【０１１３】
ガラス板７は扉内板８とともに枠１２ａ、１２ｂ、１２ｃ、１２ｄで支持固定される口背として説明したが、これに限らず、ガラス板７が枠１２ａ、１２ｂ、１２ｃ、１２ｄよりも前方に位置させた構成であってもよい。
【０１１４】
また、挿入部１３を設ける位置も上記で説明した扉側面に限定されるものではなく、ヒンジ側面、扉底面，上面或いは背面（発泡断熱材側）であってもよい。
【０１１５】
また、右開き、左開き、上開き、下開き、或いは引き出し式等のあらゆる扉に適用することができる。冷蔵庫以外の機器の扉にも適用が可能である。
【符号の説明】
【０１１６】
１…冷蔵庫本体、２…冷蔵室、２ａ…冷蔵室扉（扉）、２ｂ…ヒンジ、７…ガラス板、７ａ…扉前面板、８…扉内板、９…操作部、１０…表示部、１１…検出部、１２ａ、１２ｂ、１２ｃ、１２ｄ…枠、１３…挿入部、１３ａ…蓋、１４…基板組品、１５…基板、１６…発泡断熱材、１７…基板ケース、１７ａ…第１の被ガイド部材、１７ｂ…第２の被ガイド部材、１７ｃ…突起部、１７ｄ…係止片、２０…フィルム、２１…基板収納部材、２１ａ…平面部、２１ｂ…開口部、２１ｃ…位置決め部、２１ｄ…段部、２１ｅ…ガイド手段、２１ｆ…第１のガイド部、２１ｇ…第２のガイド部、２１ｈ…凸部、２１ｉ…補強リブ、２２…曲面部
【図１】
2015094509.tif 000003
【図２】
2015094509.tif 000004
【図３】
2015094509.tif 000005
【図４】
2015094509.tif 000006
【図５】
2015094509.tif 000007
【図６】
2015094509.tif 000008
【図７】
2015094509.tif 000009
【図８】
2015094509.tif 000010